Podtech/llm-jp-corpus-v4-ja_patent huggingface dataset:
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
下記の構造：
【化１】
2007505835.tif 000001
〔式中、
Ｘ及びＹは、独立して水素、ハロゲン、又は（ハロ）（Ｃ１−６アルキル）であり、
ｎは１、２又は３であり、
以下（ａ）、（ｂ）又は（ｃ）：
（ａ）Ｒ１が水素であり、Ｒ２がハロゲン、ヒドロキシ、−（Ｃ１−６アルキル）、ビニル、−（Ｃ２−６アルキニル）、−Ｃ（Ｏ）Ｏ（Ｃ１−６アルキル）、−（ヒドロキシ）（Ｃ１−６アルキル）、−（アミノ）（Ｃ１−６アルキル）、−（ＣＨ２）ｍ−Ｏ−（Ｃ１−６アルキル）、−Ｃ（Ｏ）（Ｃ１−６アルキル）、−（ＣＨ２）ｍ−フェニル、−（３〜７員の単環式複素環）、−ＣＯＯＨ、−Ｃ（Ｏ）Ｈ、又は−ＣＮである、
（ｂ）Ｒ２が水素であり、Ｒ１がハロゲン、ヒドロキシ、−（Ｃ１−６アルキル）、−（Ｃ２−６アルケニル）、−（Ｃ２−６アルキニル）、−Ｃ（Ｏ）Ｏ（Ｃ１−６アルキル）、−（ヒドロキシ）（Ｃ１−６アルキル）、−（アミノ）（Ｃ１−６アルキル）、−（ＣＨ２）ｍ−Ｏ−（Ｃ１−６アルキル）、−Ｃ（Ｏ）（Ｃ１−６アルキル）、−（ＣＨ２）ｍ−フェニル、−（３〜７員の単環式複素環）、−ＣＯＯＨ、−Ｃ（Ｏ）Ｈ、又は−ＣＮである、
（ｃ）Ｒ１及びＲ２が−ＣＨ３である
のいずれかである〕
を有する化合物又はその薬学的に許容される塩。
【請求項２】
化合物が、下記の構造：
【化２】
2007505835.tif 000002
2007505835.tif 000003
を有する又はその薬学的に許容される塩である、請求項１記載の化合物。
【請求項３】
下記の構造：
【化３】
2007505835.tif 000004
を有する化合物又はその薬学的に許容される塩の製造方法であって、
下記の構造：
【化４】
2007505835.tif 000005
を有する化合物又はその薬学的に許容される塩を脱メチル化するステップを含み、
上記式中、
Ｘ及びＹは、独立して水素、ハロゲン、又は（ハロ）（Ｃ１−６アルキル）であり、
ｎは１、２又は３であり、
以下（ａ）、（ｂ）又は（ｃ）：
（ａ）Ｒ１が水素であり、Ｒ２がハロゲン、ヒドロキシ、−（Ｃ１−６アルキル）、ビニル、−（Ｃ２−６アルキニル）、−Ｃ（Ｏ）Ｏ（Ｃ１−６アルキル）、−（ヒドロキシ）（Ｃ１−６アルキル）、−（アミノ）（Ｃ１−６アルキル）、−（ＣＨ２）ｍ−Ｏ−（Ｃ１−６アルキル）、−Ｃ（Ｏ）（Ｃ１−６アルキル）、−（ＣＨ２）ｍ−フェニル、−（３〜７員の単環式複素環）、−ＣＯＯＨ、−Ｃ（Ｏ）Ｈ、又は−ＣＮである、
（ｂ）Ｒ２が水素であり、Ｒ１がハロゲン、ヒドロキシ、−（Ｃ１−６アルキル）、−（Ｃ２−６アルケニル）、−（Ｃ２−６アルキニル）、−Ｃ（Ｏ）Ｏ（Ｃ１−６アルキル）、−（ヒドロキシ）（Ｃ１−６アルキル）、−（アミノ）（Ｃ１−６アルキル）、−（ＣＨ２）ｍ−Ｏ−（Ｃ１−６アルキル）、−Ｃ（Ｏ）（Ｃ１−６アルキル）、−（ＣＨ２）ｍ−フェニル、−（３〜７員の単環式複素環）、−ＣＯＯＨ、−Ｃ（Ｏ）Ｈ、又は−ＣＮである、
（ｃ）Ｒ１及びＲ２が−ＣＨ３である
のいずれかである、上記方法。
【請求項４】
請求項１記載の化合物又は該化合物の薬学的に許容される塩を含む、骨吸収疾患を治療又は予防するための組成物。
【請求項５】
骨吸収疾患が、骨粗鬆症、転移性骨癌、高カルシウム血症、整形外科用インプラントによる溶骨性病変、ページェット病、又は副甲状腺機能亢進症に関連する骨量減少である、請求項４記載の組成物。
【請求項６】
請求項１記載の化合物又は該化合物の薬学的に許容される塩を含む、新生物疾患を治療又は予防するための組成物。
【請求項７】
新生物疾患が癌である、請求項６記載の組成物。
【請求項８】
癌が、頭頸部、眼、皮膚、口腔、舌、食道、胸部、骨、血液、肺、結腸、Ｓ字結腸、直腸、胃、前立腺、乳房、卵巣、子宮、腎臓、肝臓、膵臓、脳、小腸、心臓又は副腎の癌である、請求項７記載の組成物。
【請求項９】
癌が、子宮、卵巣又は乳房の癌である、請求項７記載の組成物。
【請求項１０】
請求項１記載の化合物又は該化合物の薬学的に許容される塩を含む、骨細胞におけるＥＲの機能を活性化するための組成物。
【請求項１１】
細胞が骨肉腫細胞である、請求項１０記載の組成物。
【請求項１２】
請求項１記載の化合物又は該化合物の薬学的に許容される塩を含む、乳癌細胞、卵巣癌細胞、子宮内膜癌細胞、子宮癌細胞、前立腺癌細胞又は視床下部癌細胞におけるＥＲの機能を抑制するための組成物。
【請求項１３】
請求項１記載の化合物又は該化合物の薬学的に許容される塩を含む、ＥＲ及びＩＬ−６を発現可能な細胞のＩＬ−６の発現を阻害するための組成物。
【請求項１４】
細胞が骨細胞である、請求項１３記載の組成物。
【請求項１５】
請求項１記載の化合物又は該化合物の薬学的に許容される塩を含む、ＥＲを発現可能な新生物細胞の増殖を抑制するための組成物。
【請求項１６】
細胞が癌細胞である、請求項１５記載の組成物。
【請求項１７】
請求項１記載の化合物又は該化合物の薬学的に許容される塩を含む、エストロゲンの存在によって悪化する疾患を治療又は予防するための組成物。
【請求項１８】
疾患が癌である、請求項１７記載の組成物。
【請求項１９】
請求項１記載の化合物又は該化合物の薬学的に許容される塩を含む、エストロゲンの存在により改善される疾患を治療又は予防するための組成物。
【請求項２０】
疾患が骨吸収疾患である、請求項１９記載の組成物。
【請求項２１】
請求項１記載の化合物又は該化合物の薬学的に許容される塩を含む、子宮内膜症、高コレステロール血症、前立腺肥大、前立腺癌、肥満、のぼせ、表皮効果、気分変動、記憶喪失、更年期障害、脱毛（脱毛症）、ＩＩ型糖尿病、アルツハイマー病、尿失禁、胃腸管症状、損傷後の血管保護、中枢神経作用、座瘡又は白内障を治療又は予防するための組成物。
【請求項２２】
請求項１記載の化合物又は該化合物の薬学的に許容される塩を含む、心血管疾患、多毛症、多発性骨髄腫又はリンパ腫を治療又は予防するための組成物。
【請求項２３】
請求項１記載の化合物又は該化合物の薬学的に許容される塩を含む、精子形成を防止するための組成物。
【請求項２４】
請求項１記載の化合物又は該化合物の薬学的に許容される塩を含む、環境化学物質への暴露又は天然のホルモン失調に関連する有害な生殖毒性を防止するための組成物。
【請求項２５】
薬学的に許容される担体又はビヒクルをさらに含む、請求項４〜２４のいずれか１項記載の組成物。
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
アジュバントと、１つ以上の麻疹ウイルス抗原とを含む免疫原性組成物であって、該アジュバントはプロテオソームを含み、少なくとも１つの麻疹ウイルス抗原がＨタンパク質である、免疫原性組成物。
【請求項２】
前記アジュバントは、リポ糖をさらに含む、請求項１に記載の免疫原性組成物。
【請求項３】
プロテオソームタンパク質の重量パーセントとしての前記リポ糖の最終含有量が１０％から５００％までの範囲である、請求項２に記載の免疫原性組成物。
【請求項４】
前記プロテオソームと前記リポ糖とが同じ細菌から得られる、請求項２に記載の免疫原性組成物。
【請求項５】
前記プロテオソームと前記リポ糖とが異なる細菌から得られる、請求項２に記載の免疫原性組成物。
【請求項６】
前記プロテオソームがナイセリア属（Ｎｅｉｓｓｅｒｉａ）の種から得られる、請求項１もしくは請求項２に記載の免疫原性組成物。
【請求項７】
前記リポ糖が、赤痢菌属（Ｓｈｉｇｅｌｌａ）、プレシオモナス属（Ｐｌｅｓｉｏｍｏｎａｓ）、エシェリキア属（Ｅｓｃｈｅｒｉｃｈｉａ）、またはサルモネラ属（Ｓａｌｍｏｎｅｌｌａ）の種由来である、請求項２に記載の免疫原性組成物。
【請求項８】
前記アジュバントと、Ｆタンパク質およびＨタンパク質を含む２つ以上の麻疹ウイルス抗原とを含む、請求項１もしくは請求項２のいずれか一項に記載の免疫原性組成物。
【請求項９】
１つ以上の麻疹ウイルス抗原が組換え麻疹抗原である、請求項１もしくは請求項２のいずれか一項に記載の免疫原性組成物。
【請求項１０】
１つ以上の麻疹ウイルス抗原が麻疹分割抗原である、請求項１もしくは請求項２のいずれか一項に記載の免疫原性組成物。
【請求項１１】
前記プロテオソームが髄膜炎菌（Ｎｅｉｓｓｅｒｉａ  ｍｅｎｉｎｇｉｔｉｄｉｓ）由来である、請求項６に記載の免疫原性組成物。
【請求項１２】
麻疹ウイルス抗原に対するプロテオソームの割合が、少なくとも４：１である、請求項１もしくは請求項２のいずれか一項に記載の免疫原性組成物。
【請求項１３】
麻疹ウイルス抗原に対するプロテオソームの割合が、少なくとも２：１である、請求項１もしくは請求項２のいずれか一項に記載の免疫原性組成物。
【請求項１４】
前記免疫原性組成物が、少なくとも１つのさらなる微生物抗原をさらに含む、請求項１もしくは請求項２のいずれか一項に記載の免疫原性組成物。
【請求項１５】
前記プロテオソームが髄膜炎菌（Ｎｅｉｓｓｅｒｉａ  ｍｅｎｉｎｇｉｔｉｄｉｓ）から得られ、そして前記リポ糖がフレクスナー赤痢菌（Ｓｈｉｇｅｌｌａ  ｆｌｅｘｎｅｒｉ）から得られる、請求項２に記載の免疫原性組成物。
【請求項１６】
薬学的に許容される担体、賦形剤、または希釈剤をさらに含む、請求項１〜１５のいずれか一項に記載の免疫原性組成物。
【請求項１７】
請求項１〜１６のいずれか一項に記載の免疫原性組成物を含有する、麻疹感染を処置または予防するための組成物。
【請求項１８】
前記免疫原性組成物が、粘膜、腸内、非経口、経皮、経粘膜、鼻腔内、および吸入からなる群より選択される経路による投与に適している、請求項１７に記載の組成物。
【請求項１９】
前記免疫原性組成物が鼻腔内投与に適している、請求項１７に記載の組成物。
【請求項２０】
請求項１〜１６のいずれか一項に記載の免疫原性組成物を含有する、免疫応答を誘発するための組成物。
【請求項２１】
前記免疫原性組成物が非経口的投与または鼻腔内投与に適している、請求項２０に記載の組成物。
【請求項２２】
前記免疫応答が粘膜免疫応答を含む、請求項２０に記載の組成物。
【請求項２３】
前記粘膜免疫応答が、ＩｇＡ免疫グロブリンの産生を含む、請求項２２に記載の組成物。
【請求項２４】
前記免疫応答が、細胞性応答を含む、請求項２０に記載の組成物。
【請求項２５】
前記免疫応答が、全身性体液性応答を含む、請求項２０に記載の組成物。
【請求項２６】
免疫応答を誘発するためのキットであって、（ａ）請求項１〜１６のいずれか一項に記載の免疫原性組成物、および（ｂ）少なくとも１つの麻疹ウイルス抗原をコードするポリヌクレオチドに対して動作可能に連結された少なくとも１つのプロモーターを含む組み換え発現ベクターを含むキット。
【請求項２７】
前記免疫原性組成物および前記組み換え発現ベクターは、各々投与に適しており、かつここで、該免疫原性組成物は、該組み換え発現ベクターの投与後の投与に適している、請求項２６に記載のキット。
【請求項２８】
前記免疫原性組成物が非経口的投与または鼻腔内投与に適している、請求項２６に記載のキット。
【請求項２９】
前記免疫応答が、粘膜免疫応答を含む、請求項２６に記載のキット。
【請求項３０】
前記粘膜免疫応答が、ＩｇＡ免疫グロブリンの産生を含む、請求項２９に記載のキット。
【請求項３１】
前記免疫応答が、細胞性応答を含む、請求項２６に記載のキット。
【請求項３２】
前記免疫応答が、全身性体液性応答を含む、請求項２６に記載のキット。
【請求項３３】
前記キットが、麻疹感染を処置するかまたは予防するために適する、請求項２６に記載のキット。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
化合物２−メチレン−１９−ノル−２０（Ｓ）−１α，２５−ジヒドロキシビタミンＤ3及びエストロゲンアゴニスト／アンタゴニスト、又はその製薬上許容される塩、及び医薬として許容される希釈剤又は担体を含む医薬組成物。
【請求項２】
エストロゲンアゴニスト／アンタゴニストが（−）−シス−６−フェニル−５−［４−（２−ピロリジン−１−イル−エトキシ）−フェニル］−５，６，７，８−テトラヒドロ−ナフタレン−２−オール又はその製薬上許容される塩である、請求項１記載の組成物。
【請求項３】
（−）−シス−６−フェニル−５−［４−（２−ピロリジン−１−イル−エトキシ）−フェニル］−５，６，７，８−テトラヒドロ−ナフタレン−２−オールが酒石酸塩の形態である、請求項２記載の組成物。
【請求項４】
老年性骨粗鬆症、閉経後骨粗鬆症、骨折、骨移植、乳癌、前立腺癌、肥満症、骨減少症、男性骨粗鬆症、脆弱、筋損傷又は筋減少症の治療用医薬組成物であって、治療的有効量の２−メチレン−１９−ノル−２０（Ｓ）−１α，２５−ジヒドロキシビタミンＤ3及びエストロゲンアゴニスト／アンタゴニスト、又はその製薬上許容される塩を含む前記医薬組成物。
【請求項５】
経口投与される、請求項４記載の医薬組成物。
【請求項６】
非経口投与される、請求項４記載の医薬組成物。
【請求項７】
経皮投与される、請求項４記載の医薬組成物。
【請求項８】
老年性骨粗鬆症、閉経後骨粗鬆症、骨折、骨移植、乳癌、前立腺癌、肥満症、骨減少症、男性骨粗鬆症、脆弱、筋損傷又は筋減少症の治療用キットであって、以下の：
−化合物２−メチレン−１９−ノル−２０（Ｓ）−１α，２５−ジヒドロキシビタミンＤ3又はその製薬上許容される塩を含む組成物；及び
−エストロゲンアゴニスト／アンタゴニスト又はその製薬上許容される塩を含む組成物；
を含み、
ここで、上記各組成物は、遂次的に投与される前記キット。
【請求項９】
閉経後骨粗鬆症が治療される、請求項４記載の医薬組成物。
【請求項１０】
老年性骨粗鬆症、閉経後骨粗鬆症、骨折、骨移植、乳癌、前立腺癌、肥満症、骨減少症、男性骨粗鬆症、脆弱、筋損傷又は筋減少症の治療用医薬組成物であって、治療的有効量の２−メチレン−１９−ノル−２０（Ｓ）−１α，２５−ジヒドロキシビタミンＤ3及び（−）−シス−６−フェニル−５−［４−（２−ピロリジン−１−イル−エトキシ）−フェニル］−５，６，７，８−テトラヒドロ−ナフタレン−２−オール、又はその製薬上許容可能な塩を含む前記医薬組成物。
【請求項１１】
（−）−シス−６−フェニル−５−［４−（２−ピロリジン−１−イル−エトキシ）−フェニル］−５，６，７，８−テトラヒドロ−ナフタレン−２−オールが酒石酸塩の形態である、請求項１０記載の医薬組成物。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
化合物：２−メチレン−１９−ノル−２０（Ｓ）−１α，２５−ジヒドロキシビタミンＤ３と副甲状腺ホルモン又はその活性断片又は変異体を含む医薬組成物。
【請求項２】
副甲状腺ホルモンがヒト組換え副甲状腺ホルモンである、請求項１の組成物。
【請求項３】
副甲状腺ホルモンがヒト組換え副甲状腺ホルモン１−３４である、請求項１の組成物。
【請求項４】
老年性骨粗鬆症、閉経後骨粗鬆症、骨折、移植骨片、乳癌、前立腺癌、肥満、骨減少症、男性骨粗鬆症、虚弱、筋損傷、又は肉減少症を治療するための、請求項１〜３のいずれか１項に記載の組成物。
【請求項５】
閉経後骨粗鬆症を治療するための、請求項１〜３のいずれか１項に記載の組成物。
【請求項６】
骨折を治療するための、請求項１〜３のいずれか１項に記載の組成物。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
結晶性アトルバスタチン遊離酸。
【請求項２】
ＣｕＫα線を用いて測定した以下の２θ値：８.９、２０.６、２２.５又は２５.９、を含むＸ線粉末回折パターンを有する、結晶性形態Ａのアトルバスタチン遊離酸又はその水和物。
【請求項３】
ＣｕＫα線を用いて測定した以下の２θ値：４.７、６.０、８.９、９.１、９.４、１
３.２、１４.１、１７.８、１８.１、１８.９、１９.９、２０.２、２０.６、２１.８、
２２.１、２２.５、２３.７、２５.９及び２６.７、を含むＸ線粉末回折パターンを有す
る、結晶性形態Ａのアトルバスタチン遊離酸又はその水和物。
【請求項４】
ＣｕＫα線を用いて測定した以下の２θ値：８.９、２０.６、２２.５又は２５.９、を含むＸ線粉末回折パターンを有する、結晶性形態Ａのアトルバスタチン遊離酸。
【請求項５】
ＣｕＫα線を用いて測定した以下の２θ値：４.７、６.０、８.９、９.１、９.４、１
３.２、１４.１、１７.８、１８.１、１８.９、１９.９、２０.２、２０.６、２１.８、
２２.１、２２.５、２３.７、２５.９及び２６.７、を含むＸ線粉末回折パターンを有す
る、結晶性形態Ａのアトルバスタチン遊離酸。
【請求項６】
百万分率（ｐｐｍ）で表示した以下の化学シフト：１８.１、１８.８、２０.５及び２
１.２、を有する固体13Ｃ核磁気共鳴によって特徴づけられる、結晶性形態Ａのアトルバ
スタチン遊離酸又はその水和物。
【請求項７】
百万分率（ｐｐｍ）で表示した以下の化学シフト：１６１.５、１６３.６、１６６.３
、１６７.１、１７４.３及び１８０.６、を有する固体13Ｃ核磁気共鳴によって特徴づけ
られる、結晶性形態Ａのアトルバスタチン遊離酸又はその水和物。
【請求項８】
百万分率（ｐｐｍ）で表示した以下の化学シフト：１８.１、１８.８、２０.５、２１.
２、２５.０、２５.５、２６.２、２６.８、３７.１、３８.９、４０.０、４０.６、４１.８、４２.９、４３.５、６５.３、６８.６、６９.１、７０.０、７１.３、１１２.３、１１３.７、１１５.１、１１６.４、１１８.４、１１９.３、１２１.６、１２３.３、１２５.４、１２８.０、１２８.８（肩）、１３０.０、１３２.９、１３４.１、１３５.２、１３７.９、１４０.７、１４１.８、１６１.５、１６３.６、１６６.３、１６７.１、１７４.３及び１８０.６、を有する固体13Ｃ核磁気共鳴によって特徴づけられる、結晶性形態Ａのアトルバスタチン遊離酸又はその水和物。
【請求項９】
百万分率（ｐｐｍ）で表示した以下の化学シフト：−１１４.１、−１１２.６、−１１０.６及び−１０５.６、を有する固体19Ｆ核磁気共鳴によって特徴づけられる、結晶性形態Ａのアトルバスタチン遊離酸又はその水和物。
【請求項１０】
百万分率（ｐｐｍ）で表示した以下の化学シフト：−１１４.１、−１１２.６、−１１０.６及び−１０５.６を有する固体19Ｆ核磁気共鳴によって特徴づけられる、結晶性形態Ａのアトルバスタチン遊離酸。
【請求項１１】
ＣｕＫα線を用いて測定した以下の２θ値：８.６、１７.４、２１.１及び２１.５を含有するＸ線粉末回折パターンを有する結晶性形態Ｂのアトルバスタチン遊離酸又はその水和物。
【請求項１２】
ＣｕＫα線を用いて測定した以下の２θ値：４.６、５.９、８.６、９.３、１３.３、
１４.１、１７.４、１７.７、１８.０、１８.８、１９.３、１９.８、２０.２、２１.１
、２１.５、２１.９及び２３.６、を含むＸ線粉末回折パターンを有する、結晶性形態Ｂ
のアトルバスタチン遊離酸又はその水和物。
【請求項１３】
ＣｕＫα線を用いて測定した以下の２θ値：４.６、５.９、８.６、９.３、１３.３、
１４.１、１７.４、１７.７、１８.０、１８.８、１９.３、１９.８、２０.２、２１.１
、２１.５、２１.９及び２３.６を含むＸ線粉末回折パターンを有する、結晶性形態Ｂの
アトルバスタチン遊離酸。
【請求項１４】
少なくとも一つの医薬として許容される賦形剤、希釈剤又は担体を混合した、結晶性アトルバスタチン遊離酸を含む医薬組成物。
【請求項１５】
請求項１に記載の化合物を含有する、高脂血症、高コレステロール血症、骨粗鬆症、良性前立腺肥大又はアルツハイマー病を治療するための医薬。
【請求項１６】
結晶性アトルバスタチン遊離酸水和物。
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
関節炎治療のための医薬品の製造における、ＰＡＣＥ４阻害剤の使用。
【請求項２】
薬学的に許容される担体と共に、ＰＡＣＥ４遮断剤を含む関節炎治療のための医薬組成物。
【請求項３】
ＰＡＣＥ４遮断剤がＰＡＣＥ４酵素阻害剤である、請求項２に記載の医薬組成物。
【請求項４】
ＰＡＣＥ４酵素阻害剤が、ＰＡＣＥ４に特異的であり且つＰＡＣＥ４を不活化させる能力を有する、１つ又はそれ以上のモノクローナル抗体である、請求項３に記載の医薬組成物。
【請求項５】
ＰＡＣＥ４遮断剤がＰＡＣＥ４遺伝子発現の阻害剤である、請求項２に記載の医薬組成物。
【請求項６】
ＰＡＣＥ４遺伝子発現の阻害剤が、ｈＡＳＨ−１及びＭＡＳＨ−１から成るグループから選択される１つ又は２つの化合物である、請求項５に記載の医薬組成物。
【請求項７】
有効量のＰＡＣＥ４遮断剤を含む、アグレカナーゼ前駆体から機能的に活性なアグレカナーゼへの活性化を防止するための医薬。
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
シクレソニド、その製剤学的に認容性の塩、溶媒和物又は生理学的に機能的な誘導体の、児童患者における呼吸器疾患の治療又は予防のための医薬品の製造のための使用であって、医薬品が２０〜２００μｇのシクレソニドの用量で投与される使用。
【請求項２】
児童が思春期前のヒトである、請求項１記載の使用。
【請求項３】
児童が６〜１２歳のヒトである、請求項１記載の使用。
【請求項４】
医薬品が、用量２０、４０、６０、８０、１００、１２０、１４０、１６０、１８０又は２００μｇのシクレソニドで投与される、請求項１記載の使用。
【請求項５】
医薬品が、用量４０、８０、１６０μｇのシクレソニドで投与される、請求項１記載の使用。
【請求項６】
用量が、持続的な治療計画における日用量である、請求項１記載の使用。
【請求項７】
治療期間が１日より長い、請求項６記載の使用。
【請求項８】
治療期間が１週間より長い、請求項７記載の使用。
【請求項９】
患者の成長率に影響を及ぼさない、請求項１記載の使用。
【請求項１０】
医薬品が、製剤学的に認容性の担体及び／又は１種以上の賦形剤を含有する、請求項１記載の使用。
【請求項１１】
シクレソニドが、［１１β，１６α（Ｒ）］−１６，１７−［（シクロヘキシルメチレン）ビス（オキシ）］−１１−ヒドロキシ−２１−（２−メチル−１−オキソプロポキシ）プレグナ−１，４−ジエン−３，２０−ジオン、［１１β，１６α（Ｓ）］−１６，１７−［（シクロヘキシルメチレン）ビス（オキシ）］−１１−ヒドロキシ−２１−（２−メチル−１−オキソプロポキシ）プレグナ−１，４−ジエン−３，２０−ジオン、［１１β，１６α（Ｒ，Ｓ）］−１６，１７−［（シクロヘキシル−メチレン）ビス（オキシ）］−１１−ヒドロキシ−２１−（２−メチル−１−オキソプロポキシ）プレグナ−１，４−ジエン−３，２０−ジオン、１６α，１７−（２２Ｒ）−シクロヘキシルメチレンジオキシ−１１β，２１−ジヒドロキシプレグナ−１，４−ジエン−３，２０−ジオン、１６α，１７−（２２Ｓ）−シクロヘキシルメチレンジオキシ−１１β，２１−ジヒドロキシプレグナ−１，４−ジエン−３，２０−ジオン及び１６α，１７−（２２Ｒ，Ｓ）−シクロヘキシルメチレンジオキシ−１１β，２１−ジヒドロキシプレグナ−１，４−ジエン−３，２０−ジオンの群から選択される、請求項１記載の使用。
【請求項１２】
一日一回の投与計画を含む、請求項１記載の使用。
【請求項１３】
医薬品が吸入による投与に適している、請求項１記載の使用。
【請求項１４】
組成物が、治療学的有効量のシクレソニドと、１，１，１，２−テトラフルオロエタン、１，１，１，２，３，３，３−ヘプタフルオロプロパン及びそれらの混合物から有利には選択されるヒドロフルオロカーボン噴射剤を含有し、かつ補助溶剤をシクレソニドの溶解に有効な量で含有し、場合により界面活性剤を含有するエーロゾル医薬製剤である、請求項１３記載の使用。
【請求項１５】
補助溶剤がエタノールである、請求項１４記載の使用。
【請求項１６】
組成物が、シクレソニドの粒子を治療学的有効量で含有し、かつ１，１，１，２−テトラフルオロエタン、１，１，１，２，３，３，３−ヘプタフルオロプロパン及びそれらの混合物から有利には選択されるヒドロフルオロカーボン噴射剤を含有し、かつ噴射剤に対して０．０１〜５％（質量／質量）の極性補助溶剤と、場合により界面活性剤を含有するエーロゾル医薬製剤である、請求項１３記載の使用。
【請求項１７】
組成物が乾燥粉末であり、かつ担体がサッカライドである、請求項１３記載の使用。
【請求項１８】
担体がラクトース一水和物である、請求項１３記載の使用。
【請求項１９】
呼吸器疾患が、喘息、夜間喘息、運動誘発性喘息、慢性閉塞性肺疾患（ＣＯＰＤ）、慢性でゼーゼーと音が出る気管支炎、肺気腫、気道感染症及び上部気道疾病、鼻炎、アレルギー性鼻炎及び季節性鼻炎の群から選択される、請求項１記載の使用。
【請求項２０】
呼吸器疾患が軽度又は中程度の喘息である、請求項１記載の使用。
【請求項２１】
シクレソニドが主にＲエピマーからなる、請求項１記載の使用。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
肝線維化を治療するための医薬組成物の調製における免疫調節剤の使用。
【請求項２】
前記免疫調節剤が、肝組織において、ＣＤ４：ＣＤ８比の上昇、及び／又はＮＫ細胞数の増加、及び／又はＮＫ  ａＫＩＲ：ＮＫ  ｉＫＩＲ比の上昇を引き起こすことができる、請求項１に記載の使用。
【請求項３】
前記免疫調節剤が酢酸グラチラマーである、請求項１又は２に記載の使用。
【請求項４】
線維化肝組織において、ＣＤ４：ＣＤ８比の上昇、及び／又はＮＫ細胞数の増加、及び／又はＮＫ  ａＫＩＲ：ＮＫ  ｉＫＩＲ比の上昇を引き起こし、それにより肝線維化を低減させるための、免疫調節剤、好ましくは酢酸グラチラマーの使用。
【請求項５】
肝線維化の治療に有用な免疫調節剤をスクリーニングする方法であって、
ａ．被験物質を提供するステップと、
ｂ．線維化を誘発させたモデル動物、及び非線維化モデル動物を提供するステップと、
ｃ．前記被験物質を前記線維化動物及び非線維化動物に投与するステップと、
ｄ．前記動物から肝組織の試料を採取するステップと、
ｅ．前記試料における、ＣＤ４：ＣＤ８比、ＮＫ細胞数、ＮＫ  ａＫＩＲ：ＮＫ  ｉＫＩＲ比、及び線維化組織の面積、並びに少なくとも１種の一般的な線維化パラメータ、のうちの少なくとも１つのパラメータを測定するステップと、
ｆ．線維化を誘発させた動物から採取した試料について得られた結果を、非線維化動物について得られた対応する結果と比較するステップと、を含み、
ＣＤ４：ＣＤ８比の上昇、及び／又はＮＫ細胞数の増加、及び／又はＮＫ  ａＫＩＲ：ＮＫ  ｉＫＩＲ比の上昇、及び／又は線維化組織の面積の縮小、及び／又は前記一般的な線維化パラメータの低下が、前記被験物質が肝線維化の治療に有用であることを示す方法。
【請求項６】
前記一般的な線維化パラメータが、Ｉｓｈａｋ線維化スコア、コンピューターＢｉｏｑｕａｎｔ（登録商標）による定量、又はウェスタンブロッティングを用いたα平滑筋アクチンの評価である、請求項５に記載の方法。
【請求項７】
炎症性腸疾患の治療に有用な免疫調節剤をスクリーニングする方法であって、
ａ．被験物質を提供するステップと、
ｂ．大腸炎を誘発させたモデル動物、及び非大腸炎モデル動物を提供するステップと、
ｃ．前記被験物質を前記大腸炎動物及び非大腸炎動物に投与するステップと、
ｄ．前記動物から腸組織の試料を採取するステップと、
ｅ．血清又は腸組織における、ＣＤ４細胞数、ＩＦＮ−γ分泌ＣＤ４細胞及びＩＬ−４分泌ＣＤ４細胞の数、及びＩＬ−４、ＩＬ−１０及びＩＦＮ−γの濃度、並びに前記試料中の炎症組織の病理組織学的検査、のうちの少なくとも１つのパラメータを測定するステップと、
ｆ．大腸炎を誘発させた動物から採取した試料について得られた結果を、非大腸炎動物について得られた対応する結果と比較するステップと、を含み、
血清又は腸組織における、ＣＤ４細胞の総数の増加、及び／又はＩＬ−４分泌ＣＤ４細胞ではなく、ＩＦＮ−γ分泌ＣＤ４細胞の数の減少、及び／又はＩＬ−４、ＩＬ−１０及びＩＦＮ−γの濃度の低下、及び／又は病理組織学的状態の改善が、前記被験物質が炎症性腸疾患の治療に有用であることを示す方法。
【請求項８】
肝細胞癌及び炎症性腸疾患のいずれか１つを治療するための医薬組成物の調製における免疫調節剤の使用。
【請求項９】
前記免疫調節剤が、肝組織において、ＣＤ４：ＣＤ８比の上昇、及び／又はＮＫ細胞数の増加、及び／又はＮＫ  ａＫＩＲ：ＮＫ  ｉＫＩＲ比の上昇を引き起こす、請求項８に記載の使用。
【請求項１０】
前記免疫調節剤が、血清又は腸組織において、ＣＤ４細胞数の増加、及び／又はＩＬ−４分泌ＣＤ４細胞ではなく、ＩＦＮ−γ分泌ＣＤ４細胞の数の減少、及び／又はＩＬ−４、ＩＬ−１０及びＩＦＮ−γの濃度の低下を引き起こす、請求項８に記載の使用。
【請求項１１】
前記免疫調節剤が、随意的にＩＬ−２と組み合わせた酢酸グラチラマーである、請求項８〜１０のいずれか一項に記載の使用。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
ガラス−セラミックを製造するための方法であって、前記方法には、ガラスを加熱処理してガラスの少なくとも一部を結晶質セラミックに変換させ、ガラス−セラミックを得ることを含み、前記ガラスが、ガラスの全重量を基準にして、少なくとも３５重量パーセントのＡｌ２Ｏ３と、ＲＥＯと、ＺｒＯ２またはＨｆＯ２の少なくとも１種と、Ｎｂ２Ｏ５またはＴａ２Ｏ５の少なくとも１種とを含み、前記ガラスが、前記ガラスの全重量を基準にして、Ａｓ２Ｏ３、Ｂ２Ｏ３、ＧｅＯ２、Ｐ２Ｏ５、ＳｉＯ２、ＴｅＯ２およびＶ２Ｏ５を合計して１０重量パーセント以下の量で含み、そして前記Ｎｂ２Ｏ５またはＴａ２Ｏ５の少なくとも１種が、Ｎｂ２Ｏ５およびＴａ２Ｏ５を含まない同一のガラスを同様に加熱処理することにより製造した比較のためのガラス−セラミックに比較して、前記ガラスからの結晶質ＺｒＯ２または結晶質ＨｆＯ２の少なくとも１種の生成速度を上昇させるに充分な量で存在する、方法。
【請求項２】
前記Ｎｂ２Ｏ５またはＴａ２Ｏ５の少なくとも１種が、前記比較のためのガラス−セラミックに比較して、前記ガラスからの結晶質ＺｒＯ２の生成速度を少なくとも１．５倍上昇させるに充分な量で存在する、請求項１に記載の方法。
【請求項３】
研磨粒子を製造するための方法であって、前記方法には、ガラス粒子を加熱処理してガラスの少なくとも一部を結晶質セラミックに変換させ、ガラス−セラミックおよび研磨粒子を得ることを含み、前記ガラスが、ガラスの全重量を基準にして、少なくとも３５重量パーセントのＡｌ２Ｏ３と、ＲＥＯと、ＺｒＯ２またはＨｆＯ２の少なくとも１種と、Ｎｂ２Ｏ５またはＴａ２Ｏ５の少なくとも１種とを含み、前記ガラスが、前記ガラスの全重量を基準にして、Ａｓ２Ｏ３、Ｂ２Ｏ３、ＧｅＯ２、Ｐ２Ｏ５、ＳｉＯ２、ＴｅＯ２およびＶ２Ｏ５を合計して１０重量パーセント以下の量で含み、そして前記Ｎｂ２Ｏ５またはＴａ２Ｏ５の少なくとも１種が、Ｎｂ２Ｏ５およびＴａ２Ｏ５を含まない同一のガラスを同様に加熱処理することにより製造した比較のためのガラス−セラミックに比較して、前記ガラスからの結晶質ＺｒＯ２または結晶質ＨｆＯ２の少なくとも１種の生成速度を上昇させるに充分な量で存在する、方法。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
全質量を基準にして、（ｉ）Ｎｂ2Ｏ5またはＴａ2Ｏの少なくとも１種と、（ｉｉ）（ａ）Ａｌ2Ｏ3、（ｂ）Ｙ2Ｏ3、または（ｃ）ＺｒＯ2もしくはＨｆＯ2の少なくとも１種、の内の少なくとも２種とを、合計して少なくとも７０質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含むガラス。
【請求項２】
Ａｌ2Ｏ3と、Ｙ2Ｏ3またはＲＥＯの少なくとも１種と、ＺｒＯ2またはＨｆＯ2の少なくとも１種とが存在する場合に、前記ガラスが、その全質量を基準にして、４質量パーセント以下か、または少なくとも６質量パーセントのいずれかで、Ｎｂ2Ｏ5またはＴａ2Ｏ5の少なくとも１種を含む、請求項１に記載のガラス。
【請求項３】
前記ガラスがＺｒＯ2を含む、請求項２に記載のガラス。
【請求項４】
請求項１〜３のいずれか一項に記載のガラスを含む物品を製造するための方法であって：
ガラスを含むガラス粉体を得る工程であって、前記ガラスが、（ｉ）Ｎｂ2Ｏ5またはＴａ2Ｏ5の少なくとも１種と、（ｉｉ）（ａ）Ａｌ2Ｏ3、（ｂ）Ｙ2Ｏ3、または（ｃ）ＺｒＯ2もしくはＨｆＯ2の少なくとも１種、の内の少なくとも２種とを、合計して少なくとも７０質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含むが、ここで、Ａｌ2Ｏ3、Ｙ2Ｏ3またはＲＥＯの少なくとも１種、およびＺｒＯ2またはＨｆＯ2の少なくとも１種が存在する場合に、前記ガラスが、その全質量を基準にして、少なくとも６質量パーセントの、Ｎｂ2Ｏ5またはＴａ2Ｏ5の少なくとも１種を含み、前記ガラスがＴgを有する、工程、および
前記ガラス粉体をそのＴgよりも高い温度に加熱して、前記ガラスビーズを融合させて、形状を形成させ物品を得る工程、
を含む方法。
【請求項５】
基材、および
前記基材の表面上にある請求項１〜３のいずれか一項に記載のガラス、
を含む光導波路。
【請求項６】
全質量を基準にして、（ｉ）Ｎｂ2Ｏ5またはＴａ2Ｏ5の少なくとも１種と、（ｉｉ）（ａ）Ａｌ2Ｏ3、（ｂ）Ｙ2Ｏ3、または（ｃ）ＺｒＯ2もしくはＨｆＯ2の少なくとも１種、の内の少なくとも２種とを、合計して少なくとも７０質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含む、ガラス−セラミック。
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
全質量を基準にして、（ｉ）Ｎｂ2Ｏ5またはＴａ2Ｏ5の少なくとも１種と、（ｉｉ）ＺｒＯ2と、（ｉｉｉ）（ａ）Ａｌ2Ｏ3または（ｂ）ＲＥＯの少なくとも１種とを、合計して少なくとも８５質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含むが、ただし、前記ガラスが、３５．７３質量パーセントのＡｌ2Ｏ3、４２．１７質量パーセントのＬａ2Ｏ3、１７．１質量パーセントのＺｒＯ2、および５質量パーセントの、Ｎｂ2Ｏ5またはＴａ2Ｏ5の１種を含まない、ガラス。
【請求項２】
Ａｌ2Ｏ3と、ＲＥＯと、ＺｒＯ2とが存在する場合に、前記ガラスが、その全質量を基準にして、４質量パーセント以下か、または少なくとも６質量パーセントのいずれかで、Ｎｂ2Ｏ5またはＴａ2Ｏ5の少なくとも１種を含む、請求項１に記載のガラス。
【請求項３】
請求項１または２に記載のガラスを含む物品を製造するための方法であって：
ガラスを含むガラス粉体を得る工程であって、前記ガラスが、その全質量を基準にして、（ｉ）Ｎｂ2Ｏ5またはＴａ2Ｏ5の少なくとも１種と、（ｉｉ）（ａ）Ａｌ2Ｏ3、（ｂ）ＲＥＯ、または（ｃ）ＺｒＯ2もしくはＨｆＯ2の少なくとも１種、の内の少なくとも２種とを、合計して少なくとも８０質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含むが、ただし、前記ガラスが、３５．７３質量パーセントのＡｌ2Ｏ3、４２．１７質量パーセントのＬａ2Ｏ3、１７．１質量パーセントのＺｒＯ2、および５質量パーセントの、Ｎｂ2Ｏ5またはＴａ2Ｏ5の１種を含まず、前記ガラスがＴgを有する、工程、
前記ガラス粉体をそのＴgよりも高い温度に加熱して、前記ガラスビーズを融合させて、形状を形成させ物品を得る工程、
を含む方法。
【請求項４】
基材、および
前記基材の表面上の請求項１または２に記載のガラス、
を含む光導波路。
【請求項５】
（ｉ）Ｎｂ2Ｏ5またはＴａ2Ｏ5の少なくとも１種と、（ｉｉ）（ａ）Ａｌ2Ｏ3、（ｂ）ＲＥＯ、または（ｃ）ＺｒＯ2もしくはＨｆＯ2の少なくとも１種、の内の少なくとも２種とを、合計して少なくとも７０質量パーセント含み、そしてＡｓ2Ｏ3、Ｂ2Ｏ3、ＧｅＯ2、Ｐ2Ｏ5、ＳｉＯ2、ＴｅＯ2、およびＶ2Ｏ5を合計して３０質量パーセント以下で含む、ガラス−セラミック。
【手続補正書】
【提出日】平成19年9月12日(2007.9.12)
【手続補正１】
【補正対象書類名】明細書
【補正対象項目名】０００５
【補正方法】変更
【補正の内容】
【０００５】
タンパク質キナーゼＣは、細胞シグナル伝達経路における重要な酵素の一つであり、細胞増殖および分化に中枢の役割を有する。ＰＫＣはセリン／スレオニンキナーゼのファミリーである。ＰＫＣの少なくとも１２個のイソ型が同定されており、それらはそれらの構造および基質要件に基づき、一般に３群に分けられる。ＰＫＣ発現は、ヒト乳房腫瘍生検サンプルで正常乳房組織と比較して上昇していることが判明しており、そして高いＰＫＣ発現は、ヒト星状細胞腫の悪性の生物学的マーカーであると見なされている。ＰＫＣイソ型の一つ、ＰＫＣθは、Ｔ細胞における生存シグナル伝達の正のレギュレーターである。興味深いことに、ＧＩＳＴにおけるＰＫＣθの構成的リン酸化により明らかであり、そして、ＧＩＳＴ細胞死をもたらすＰＫＣθ活性の阻害により証明されるように、ＰＫＣθはＧＩＳＴで活性化されている。故に、ＰＫＣθは、ＧＩＳＴにおける治療的介入のための標的キナーゼの可能性があると見なし得る。特に、ＰＫＣ阻害剤はイマチニブ耐性ＧＩＳＴの処置に有利である。
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
切断刃を有する円形ステープラーで患者に形成された外科的開口を補強するのに適合した移植可能な医療装置であって、
該円形ステープラーに取り付けられるのに適合したバットレス材料を含み、該ステープラーは、該切断刃によって作り出される外科的開口よりも大きな直径のアンビルを有し、該ステープラーによるステープリングおよび該切断刃による切断の後、該バットレス材料は、該切断刃により患者に作り出された該外科的開口を包囲するステープルされた組織を補強し、かつ、内部に形成された適応開口を有し、
該バットレス材料は、外縁部および内縁部を定める中心開口部を有する実質的に円形の生体吸収性ウェブ材料を含み、
該生体吸収性ウェブ材料には、該円形ウェブ材料の外縁部と内縁部との間に一連のスリットが配置されており、
該一連のスリットが該バットレス材料の該適応開口を作り出すのに役立ち、
該適応開口は該患者における該外科的開口に対応し、かつ、該アンビルの直径より小さい直径を有し、そして
該適応開口によって、該バットレス材料に恒久的変化を生ずることなく該アンビルが取り出せる
ことを特徴とする移植可能な医療装置。
【請求項２】
該スリットが、該円形バットレス材料において放射状に配向されている、請求項１に記載の移植可能な医療装置。
【請求項３】
該円形ウェブ材料の該外縁部に沿って配置された少なくとも二つの破壊可能な領域と、該少なくとも二つの破壊可能な領域の各々を越えてそれぞれ延在するウェブ材料の少なくとも二つの突出部とをさらに含み、該突出部が該バットレス材料を該円形ステープラーに取り付けるのに適合されている、請求項１に記載の移植可能な医療装置。
【請求項４】
該少なくとも二つの突出部の各々の表面に接着剤をさらに含む、請求項３に記載の移植可能な医療装置。
【請求項５】
さらに、前記接着剤に載せられた脱着可能なカバーを含む、請求項４に記載の移植可能な医療装置。
【請求項６】
該バットレスが該中心開口部の周縁に沿って波形になっている、請求項１に記載の移植可能な医療装置。
【請求項７】
該バットレスが、前記ステープラーの圧縮表面に接触する該バットレスの部分に接着剤を使用することなく、該ステープラーに保持される、請求項１に記載の移植可能な医療装置。
【請求項８】
該バットレスが、該ステープラー・アンビルに、該ステープラーの外径を画定するエッジに合わせることによって自己整列する、請求項１に記載の移植可能な医療装置。
【請求項９】
該生体吸収性ウェブ材料が、自己付着された不織フィラメントを含む、請求項１に記載の移植可能な医療装置。
【請求項１０】
該自己付着された不織フィラメントがポリ（グリコリド：トリメチレン・カーボネート）のブロック共重合体を含む、請求項９に記載の移植可能な医療装置。
【請求項１１】
該バットレスが充填材を含む、請求項１に記載の移植可能な医療装置。
【請求項１２】
該充填材が治療物質を含む、請求項１１に記載の移植可能な医療装置。
【請求項１３】
該充填材が生物活性物質を含む、請求項１１に記載の移植可能な医療装置。
【請求項１４】
該円形ステープラーが体組織の間に吻合接合部を作り出すのに適合しており、該バットレスが該吻合接合部における半径方向の拡張に対する抵抗を強化する、請求項１に記載の移植可能な医療装置。
【請求項１５】
該デバイスが補強された中央領域を有し、それが該中央領域の剛性を高める、請求項１に記載の移植可能な医療装置。
【請求項１６】
該中央領域が該デバイスの他の領域よりも大きな厚さを有する、請求項１５に記載の移植可能な医療装置。
【請求項１７】
該中央領域が該デバイスの他の領域よりも大きな密度の物質を有する、請求項１５に記載の移植可能な医療装置。
【請求項１８】
患者において実質的に円形の孔を作り出すのに適合する円形ステープラーと共に使用するための移植可能な医療装置であって、前記円形ステープラーは第一の圧縮表面を有するステープラー・アンビル部分と第二の圧縮表面を有するステープラー本体部分とを有し、該移植可能な医療装置は：
第一の接触表面を有し、前記第一の圧縮表面と前記第一の接触表面上に接着剤を用いることなく前記ステープラー・アンビルに取り付けられるのに適合する、生体吸収性ウェブ材料でできた第一のバットレス；
第二の接触表面を有し、前記第二の圧縮表面と前記第二の接触表面上に接着剤を用いることなく前記ステープラー本体に取り付けられるのに適合する、生体吸収性ウェブ材料でできた第二のバットレス；
を含み、該第一及び第二のバットレスが、ステープルを用いたときに前記患者において前記ステープラーによって作り出された前記孔を補強し、かつ、該第一及び第二のバットレスの両方が、該第一及び第二のバットレスの外縁部と内縁部との間に配置された一連のスリットから形成された適応開口部を有することを特徴とする移植可能な医療装置。
【請求項１９】
さらに、前記第二のバットレスに破壊可能に結合された少なくとも一つの突出部を含み、前記突出部が少なくともその一部分に前記第二のバットレスを前記ステープラー本体部分に取り付けるための接着剤を有する、請求項１８に記載の移植可能な医療装置。
【請求項２０】
さらに、前記突出部上の前記接着剤に載せられた脱着可能なカバーを含む、請求項１９に記載の移植可能な医療装置。
【請求項２１】
さらに、前記第一のバットレスに破壊可能に結合された少なくとも一つの突出部を含み、前記突出部が少なくともその一部分に前記第一のバットレスを前記ステープラー・アンビル部分に取り付けるための接着剤を有する、請求項１８に記載の移植可能な医療装置。
【請求項２２】
さらに、前記突出部上の前記接着剤に載せられた脱着可能なカバーを含む、請求項２１に記載の移植可能な医療装置。
【請求項２３】
該ステープラーが、該ステープラーによって作り出される円形の孔よりも大きな直径のアンビルを含む、請求項１８に記載の移植可能な医療装置。
【請求項２４】
該生体吸収性ウェブ材料が、自己付着された不織フィラメントを含む、請求項１８に記載の移植可能な医療装置。
【請求項２５】
該自己付着された不織フィラメントがポリ（グリコリド：トリメチレン・カーボネート）のブロック共重合体を含む、請求項２４に記載の移植可能な医療装置。
【請求項２６】
該バットレスが充填材を含む、請求項１８記載の移植可能な医療装置。
【請求項２７】
該充填材が治療物質を含む、請求項２６に記載の移植可能な医療装置。
【請求項２８】
該充填材が生物活性物質を含む、請求項２６に記載の移植可能な医療装置。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
ステント装置であって、
中空柱状要素を備える多孔質構造を有する略チューブ状部材を備える装置。
【請求項２】
前記略チューブ状部材は、細胞、遺伝物質、抗血栓薬、抗酸化薬、抗炎症薬、増殖抑制薬、抗生物質、およびこれらの組み合せから選択される治療薬を含む、請求項１に記載の装置。
【請求項３】
多孔質構造はチタン、ニオブ、タンタルの酸化物、またはそれらの合金からなる、請求項１に記載の装置。
【請求項４】
略チューブ状部材は、約５０〜約５００ｎｍの厚さを有する、チタン、ニオブ、タンタル、またはそれらの合金の層を有する、請求項１に記載の装置。
【請求項５】
柱状要素は約２０〜約２００ｎｍの孔径を有する、請求項１に記載の装置。
【請求項６】
柱状要素は約１００〜約２００ｎｍの柱高を有する、請求項１に記載の装置。
【請求項７】
略チューブ状部材が、チタン、ニオブ、タンタル、またはそれらの合金を含む、請求項１に記載の装置。
【請求項８】
前記チタン、ニオブ、タンタル、またはそれらの合金は、異なる金属上に位置する層であり、前記異なる金属は、チューブ状部材の厚さの約９０％以上である、請求項７に記載の装置。
【請求項９】
多孔質構造は同多孔質構造を覆うポリマーコーティングを含む、請求項１に記載の装置。
【請求項１０】
該装置は約３７０〜約７５０ｎｍの波長を有する光に対応する色を有する、請求項１に記載の装置。
【請求項１１】
請求項１に記載のステントの製造法であって、
（ａ）金属を用意する工程と、
（ｂ）酸溶液が前記金属上にメニスカスを形成するように、前記金属を酸溶液に暴露する工程と、
（ｃ）前記金属を酸溶液中で電気回路の陽極として接続する工程と、
（ｄ）前記電気回路に電圧を印加する工程とを含み、
前記金属をステントに組み込む、方法。
【請求項１２】
前記酸溶液はフッ化水素酸溶液を含む、請求項１１に記載の方法。
【請求項１３】
前記電圧は約５〜約１００Ｖである、請求項１１に記載の方法。
【請求項１４】
前記酸溶液中における酸素含有量を制御する工程をさらに含む、請求項１１に記載の方法。
【請求項１５】
前記酸溶液中にガスをバブリングすることにより酸素含有量を制御する工程をさらに含む、請求項１４に記載の方法。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
（ａ）前面を有するバッキングと、
（ｂ）前記前面上の複数の研磨複合材料と、
を含んでなる構造化研磨物品であって、各研磨複合材料が、
（ｉ）少なくとも８５マイクロメートルの平均粒度を有する、複数のセラミック研磨粒子と、
（ｉｉ）前記研磨複合材料の１５重量％〜４０重量％を占有する、放射線硬化性バインダーを含んでなる有機成分と、
を含んでなり、
前記複合材料が、前記バッキングの前面から測定した際に、少なくとも５００マイクロメートルの高さを有し、
前記研磨物品が、使用において、１回目で第１の切削率および第１の表面仕上げ、そして２回目で第２の切削率および第２の表面仕上げを生じ、１回目と２回目とは少なくとも２０分間離れており、
前記第２の切削率が前記第１の切削率より５０％以下だけ低い、構造化研磨物品。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
底面と、
前記底面から延在するボディと、
を含んでなる研磨物品のための機構であって、前記底面からの前記ボディの高さに対して前記ボディの横断面積が線形に変化する機構。
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
所望の壁の厚みを有する金型ホルダが２つの鏡像シェル半部に分割され、その各々が製作されるべき前記容器の作製に特有の形状を有する金型の半部を収容し、製作されるべき前記容器の生成器と平行して配置された第１電気的加熱要素（３、４、５、６）の集合を有する加熱システムを含む、熱安定処理またはヒートセット・プロセスを用いて熱可塑性容器を製作する加熱吹込成形用金型（２）であって、
前記第１電気的加熱要素を実質的に横切るように且つより大量の熱を供給しなければならない区画に配置されている第２電気的加熱要素（７、８、９、１０）を含み、前記第１電気的加熱要素（３、４、５、６）および前記第２電気的加熱要素（７、８、９、１０）が電気的に互いに連結され且つ第１電気的加熱要素および第２電気的加熱要素が前記金型ホルダおよび前記金型の間に配置されるという点で特徴付けられる前記加熱吹込成形用金型。
【請求項２】
前記第１電気的加熱要素が管状電気的抵抗であると共に相互に平行して配列されている、請求項１に記載の加熱吹込成形用金型。
【請求項３】
前記第２電気的加熱要素が製作されるべき前記容器の上方端部及び下方端部に配置されている、請求項１に記載の加熱吹込成形用金型。
【請求項４】
前記加熱システムの内の少なくとも１つが前記金型ホルダの内側面に接近して配置されている一方で、前記加熱システムの内の少なくとも別のものが前記金型の外側面により接近して配置されている、請求項１に記載の加熱吹込成型用金型。
【請求項５】
熱絶縁材から成る層が前記金型ホルダの外側面に配置されている、請求項１に記載の加熱吹込成形用金型。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
コーティング層を形成するための方法であって、
第１のダイブロックと、第２のダイブロックと、前記第１のダイブロックおよび前記第２のダイブロックをともに保持する複数のファスナとを含むダイコータを組立てる工程であって、
（ａ）前記複数のファスナの各々によって、前記第１のダイブロックと前記第２のダイブロックとの間に圧縮力を生じさせ、
（ｂ）前記第１のダイブロックおよび前記第２のダイブロックを、内部マニホルドおよびコーティングスロットを形成するように組立てる、工程と、
前記コーティングスロットが約２％以内の高さ均一性を有するプロファイルを備えるように、前記複数のファスナのうちの少なくとも１つにおける前記圧縮力を調整する工程と、
コーティング材料を、前記内部マニホルドおよび前記コーティングスロットを通して押出す工程と、を含む方法。
【請求項２】
前記ダイコータが、前方列のファスナの少なくとも１つのファスナおよび後方列のファスナの少なくとも１つのファスナの圧縮力を調整するためのオフセットブラケットをさらに含む、請求項１に記載の方法。
【請求項３】
前記複数のファスナのうちの少なくとも２つのトルク差が約３％より大きい、請求項１に記載の方法。
【手続補正書】
【提出日】平成19年9月15日(2007.9.15)
【手続補正１】
【補正対象書類名】特許請求の範囲
【補正対象項目名】全文
【補正方法】変更
【補正の内容】
【特許請求の範囲】
【請求項１】
亜ヒ酸塩およびヒ酸塩を吸着によって液体から除去する方法であって、
前記液体を酸化銅（ＣｕＯ）粒子と所定時間反応させる工程と、
前記反応した液体を濾過する工程と
を有する方法であって、
前記液体を酸化銅（ＣｕＯ）と反応させる工程は酸化ではなく、
前記液体を酸化銅（ＣｕＯ）と反応させる工程は沈殿物はないものである、方法。
【請求項２】
請求項１記載の方法において、前記液体は約６．０〜９．０のｐＨを有するものである。
【請求項３】
請求項１記載の方法において、前記ＣｕＯ粒子は、
水酸化ナトリウムを塩化銅と反応させる工程と、
水酸化銅を形成させる工程と、
前記水酸化銅を室温で所定時間放置する工程と、
酸化銅を沈殿させる工程と、
前記ＣｕＯ粒子を同時に濾過して洗浄する工程と、
前記ＣｕＯ粒子を乾燥する工程と、
前記ＣｕＯ粒子を所望の粒子サイズに砕く工程と、
ｐＨが約７に達するまで前記ｐＨをモニターすることにより、前記ＣｕＯ粒子を洗浄する工程と
を有する方法によって製造されるものである。
【請求項４】
請求項１記載の方法において、前記濾過された液体は約１０μｇ／Ｌ未満のヒ素濃度を有するものである。
【請求項５】
請求項１記載の方法において、前記ＣｕＯ粒子の量は約０．５グラムである。
【請求項６】
亜ヒ酸塩および／またはヒ酸塩を水から除去する処理及び濾過装置であって、
酸化銅を亜ヒ酸塩および／またはヒ酸塩として水流に含まれるヒ素と反応させるＣｕＯ接触部と、
前記酸化銅接触部の下流に配置された活性炭濾過器と、
前記活性炭濾過器の下流に配置された混合床イオン交換部であって、前記ＣｕＯ接触部、活性炭濾過器、及び混合床イオン交換部は、水源に接続するように構成されているハウジング内に内蔵されているものである、前記イオン交換部とを有する、処理及び濾過装置であって、
前記酸化銅（ＣｕＯ）の反応は酸化ではなく、
前記酸化銅（ＣｕＯ）の反応は沈殿物がないものである、処理及び濾過装置。
【請求項７】
請求項６記載の前記処理及び濾過システムにおいて、前記ハウジングは、前記装置が家庭の水道の蛇口に取り付けるのに十分なほど小型なものである。
【手続補正２】
【補正対象書類名】明細書
【補正対象項目名】０００８
【補正方法】変更
【補正の内容】
【０００８】
住宅用水を補正する技術として最も一般的な２つの技術は、逆浸透（ＲＯ）と活性化アルミナである。活性化アルミナは、腐食性化学薬品の使用と本発明が利用する高流速のために大量を要する。ＲＯは、亜ヒ酸塩（Ａｓ＋３）を有意に除去することができないため、もはやヒ素除去法として認定されていない。
この出願の発明に関連する先行技術文献情報としては、以下のものがある（国際出願日以降国際段階で引用された文献及び他国に国内移行した際に引用された文献を含む）。
【特許文献１】米国特許第５，３４８，６６２号明細書
【特許文献２】米国特許出願公開第２００１／００５１１０３号明細書
【特許文献３】米国特許第５，１４９，４３７号明細書
【特許文献４】米国特許第４，９１３，８０８号明細書
【特許文献５】米国特許第６，１９７，１９３号明細書